(57)【要約】  シガレットを収容するパッケージは、基部を画定する下部本体部分と、蓋を画定する上部本体部分と、開封帯とを有するボックスを含む。基部は、基部底壁と、基部前壁と、基部後壁とを含む。蓋は、蓋上壁と、蓋前壁と、蓋後壁とを含む。開封帯は、蓋前壁および基部前壁に接着結合され、蓋の外表面および下部本体部分は、使用者が触ることができるように露出される。
2018508423.tif 000002
【特許請求の範囲】
【請求項１】
複数のシガレットを収容するように構成されたパッケージ用のブランクであって、
基部底壁、
第１の基部側タブが結合された基部前壁、および
第２の基部側タブが結合された基部後壁
を含む基部を画定する下部本体部分と、
蓋上壁、
第１の蓋側タブが結合された蓋前壁、および
第２の蓋側タブが結合された蓋後壁
を含む蓋を画定する上部本体部分と、
基部前壁および蓋前壁に接着結合された開封帯と、
を備える、ブランク。
【請求項２】
パッケージが、全体がリサイクル可能な材料で作られる、請求項１に記載のブランク。
【請求項３】
ブランクが、折り畳まれて平行六面体を形成し、基部後壁と蓋後壁とが、ブランクを折り畳まれた状態で固定するように接着結合される、請求項１に記載のブランク。
【請求項４】
基部後壁と蓋後壁との間に形成されたヒンジ部をさらに備え、
基部前壁および蓋前壁から開封帯を除去することにより、ヒンジ部の周りに蓋を基部に対して枢動させることができる、請求項３に記載のブランク。
【請求項５】
パッケージが折り畳まれた状態にあり、蓋が開封帯を介して基部に結合されているときに、開封帯の少なくとも一部がパッケージの内部に位置決めされる、請求項３に記載のブランク。
【請求項６】
開封帯の端部が、パッケージ外部の外側に延び、開封帯の端部を引っ張ってパッケージから開封帯を除去することができる、請求項５に記載のブランク。
【請求項７】
ブランクが折り畳まれた状態にあるとき、平行六面体の外表面が、使用者が触ることができるように露出される、請求項３に記載のブランク。
【請求項８】
開封帯が、中間開封帯部分と、上部接着部分と、下部接着部分とを含み、
上部接着部分が、蓋前壁に結合され、下部接着部分が、基部前壁に結合される、請求項１に記載のブランク。
【請求項９】
シガレットを収容するように構成されたパッケージであって、
基部底壁、
基部前壁、および
基部後壁を含む基部を画定する下部本体部分と、
蓋上壁、
蓋前壁、および
蓋後壁を備える蓋を画定する上部本体部分と、
蓋前壁および基部前壁に接着結合された開封帯と、
を備え、
蓋および下部本体部分の外表面が、使用者が触ることができるように露出されるパッケージ。
【請求項１０】
開封帯の第１の端部を引っ張ることによってパッケージから開封帯が除去された後、蓋がヒンジ部の周りに基部に対して枢動可能になる、請求項９に記載のパッケージ。
【請求項１１】
パッケージが、一般に、開封帯および接着接合部を介して平行六面体として固定され、
パッケージが平行六面体として形成されるときに、パッケージの少なくとも２つの壁が接着接合部を介して互いに結合され、
接着接合部が、不正開封明示機能を果たすように構成される、請求項９に記載のパッケージ。
【請求項１２】
接着接合部を介して互いに結合されたパッケージの少なくとも２つの壁が、基部後壁および蓋後壁である、請求項１１に記載のパッケージ。
【請求項１３】
基部前壁内の開封帯の下に指開口部が設けられる、請求項１１に記載のパッケージ。
【請求項１４】
パッケージが、全体がリサイクル可能な材料で作られる、請求項９に記載のパッケージ。
【請求項１５】
パッケージが平行六面体として固定されているときに、開封帯がパッケージの内部に位置決めされ、弱化線が、基部前壁と蓋前壁それぞれに形成され、開封帯は、パッケージから引っ張られたときに、基部前壁および蓋前壁の弱化線の間に設けられた材料を除去するように構成される、請求項１１に記載のパッケージ。
【請求項１６】
基部底壁、
基部前壁、および
基部後壁を含む基部を画定する下部本体部分と、
蓋上壁、
蓋前壁、および
蓋後壁を備える蓋を画定する上部本体部分と、
蓋前壁および基部前壁に接着結合された開封帯と、
を備えるシガレットを収容するように構成されたパッケージであって、
基部後壁および蓋後壁が、粘着ストリップを介して結合される、パッケージ。
【請求項１７】
基部後壁と蓋後壁との間の接合部が、ヒンジ部を画定する、請求項１５に記載のパッケージ。
【請求項１８】
蓋が開封帯を介して基部に結合され、蓋後壁と基部後壁とが粘着ストリップを介して結合されるときに、開封帯の少なくとも一部が、パッケージの内部に位置決めされる、請求項１５に記載のパッケージ。
【請求項１９】
基部前壁内の開封帯の下に指穴が設けられる、請求項１５に記載のパッケージ。
【請求項２０】
パッケージが、全体がリサイクル可能な材料で作られる、請求項１５に記載のパッケージ。
【発明の詳細な説明】
【技術分野】
【０００１】
関連出願の相互参照
本出願は、２０１５年２月６日に出願された米国特許出願第１４／６１６１７２号に対する優先権の利益を主張するものであり、この特許の内容全体は参照することにより本明細書に組み入れられるものとする。
【０００２】
本出願は、全般的に、シガレットのような物品のための容器およびパッケージの分野に関する。
【背景技術】
【０００３】
シガレットのような一般的な喫煙品は、実質的に円筒形の棒状構造を有し、巻紙によって取り巻かれた刻みタバコ（例えば、カットフィラー）のような喫煙可能な物質の充填材を含み、それにより「タバコロッド」を形成する。タバコロッドと端部同士が揃えられた円筒形フィルタ要素を有するシガレットを製造することが望ましくなった。典型的には、フィルタ要素は、アセチルセルロースおよびプラグラップのような繊維材料から製造され、外接するチップ材料を用いてタバコロッドに取り付けられる。このようなフィルタ要素を有するシガレットは、「フィルタシガレット」と呼ばれる。
【０００４】
従来、フィルタシガレットはパッケージで販売されており、各パッケージには、通常、２０本のシガレットが収容されている。典型的なシガレットパッケージは、ほぼ直方体形状を有する。一般的なシガレットパッケージの１つのタイプは、いわゆる「ハードパック」、「つぶれないボックス」、または「ヒンジ式蓋付きパッケージ」の形態を有する容器を使用する。例えば、Ｆｏｘらによる米国特許第３８７４５８１号明細書、Ｎｉｅｐｍａｎｎによる米国特許第３９４４０６６号明細書、Ａｌｌｅｎらによる米国特許第４８５２７３４号明細書、Ｍｏｅｌｌｅｒによる欧州特許第０３９２７３７号明細書、Ｊｏｎｅｓらによる米国特許出願公開第２００８／０２３０４１０号明細書、Ｇｕｅｒｒｅｒａらによる米国特許出願公開第２０１１／００４２２４９号明細書、Ｐｉｐｅｓらによる米国特許出願公開第２０１０／０２４８９２６号明細書、およびＣｏｂｌｅｒによる米国特許第５６８２９８６号明細書を参照されたい。これらはそれぞれ参照により本明細書に組み込まれている。別のタイプの一般的なシガレットパッケージは、いわゆる「ソフトパック」の形態を有する容器を使用する。例えば、Ｔｒｉｐｏｄｉによる米国特許第３６９５４２２号明細書、Ｓｐｒｉｎｋｅｌ、Ｊｒ．らによる米国特許第４７１７０１７号明細書、およびＷｏｌｆｅによる米国特許第５３３３７２９号明細書を参照されたい。これらはそれぞれ参照により本明細書に組み込まれている。両方のタイプのシガレットパッケージは、通常、同様にほぼ直方体形状の段ボール箱に詰め込まれる。
【０００５】
これらの従来のシガレットパッケージは、通常、シガレットの鮮度および含水量を維持し、シガレットをそれらの鮮度および品質を低下させる可能性のある悪環境条件から保護するように構成される。このような従来のシガレットパッケージは、典型的には、以下の３つの別個の包装材を含む。（１）シガレットの周りに巻き付けられ、折り畳まれるが、シガレットの端部でシールされない紙基材または金属化紙に積層された金属箔を含むホイルインナーライナ、（２）通常はブランド特定情報が刻印された「柔らかい」または「硬い」紙または板紙のパッケージ、および（３）ヒートシールされるヒートシール性ポリマーフィルムポリマーフィルムの外側透明上包装。例えば、外側透明上包装は、Ｌａｎｇｌｅｙらによる米国特許第４８０７７４５号明細書に開示されており、これは参照により本明細書に組み込まれている。
【０００６】
「開封テープ（ｔｅａｒ  ｔａｐｅ）」として知られているポリマー材料の帯が、ポリマー製上包装フィルムを容易に開くために設けられる。例示的な開封テープは、Ｓｐｒｉｎｋｅｌ、Ｊｒ．らによる米国特許第４７１７０１７号明細書、Ｌｅｐｈａｒｄｔによる米国特許第４８３６３７８号明細書、Ａｍｅｎｄｏｌａらによる米国特許第５１９２２６２号明細書、Ｍａｙらによる米国特許第５５９５８０３号明細書、Ｆｌａｈｅｒｔｙによる米国特許第６３６３６９１号明細書、Ｐｉｎｃｈｅｎによる米国特許出願公開第２００４／０２６１３６１号明細書、およびＨｅｗｉｔｔらによる米国特許第７１１８７９２号明細書に開示されており、これらはそれぞれ参照により本明細書に組み入れられている。開封テープは、典型的には、パッケージの上端に隣接して平行に位置決めされる。開封テープの一端は、通常、タブとしてパッケージからわずかに突出している。パッケージを開封するために、喫煙者はタブを引っ張ってポリマー製上包装を開封する。特に、開封テープの突出タブを引っ張って、開封テープの両縁部に沿ってポリマー製上包装を切り開き、容器の上部を覆うポリマー製上包装を除去する。
【０００７】
このようなポリマー製の「開封テープ」は、不正開封明示機能も果たし得る。例えば、不正開封明示機能を果たす開封テープは、Ｓｈｅｖｅｌｅｖらによる米国特許出願公開第２００７／０１３０８１１号明細書、Ｗｏｌｆｅによる米国特許第５３３３７２９号明細書、Ｂｕｒｒｏｗｓらによる米国特許第５２４８０３１号明細書、およびＢｕｒｒｏｗｓらによる米国特許第５１３９１４０号明細書に開示されており、これらはそれぞれ参照により本明細書に組み込まれている。不正開封明示機能を果たすラベルまたは開封テープは、ラベルが除去された可能性があることを示す一般的に使用されるラベルである。１つの形態において、開封テープは、ラベルの除去の目に見える証拠を示し基材に貼付することができる粘着ラベルである。例えば、開封テープが除去されると、テープは、その除去の証拠として基材上に残留物を残す。残留物は、多くの場合、ＶＯＩＤまたはＯＰＥＮＥＤのようなテキストメッセージを形成する、またはチェッカーボードパターンのような繰り返しパターンを形成する場合がある。開封テープは、除去されると、基材に再貼付されても、パターン化された残留物またはテキストメッセージがあるために、ラベルが除去されなかったかのように除去された部分を基材上で再調整することが困難になる。したがって、たとえ再貼付されたとしても、開封テープは、典型的には、以前に除去された証拠を示す。
【０００８】
開封テープが除去されると、パッケージの頂部が開封される、すなわち、ソフトパックの場合には、ホイルインナーライナが裂開する、またはハードパックのヒンジ式蓋が枢動して開けられ、ホイルインナーライナの一部が除去されて、その中に収容されているシガレットの端部が露出する。次に、喫煙者は、シガレットの端部、通常は、フィルタ端部を自身の指でつまんで、シガレットをパッケージから取り出す。
【０００９】
他の不正開封明示機能を有するシガレットパッケージが当該技術分野で周知である。例えば、参照により本明細書に組み込まれている、Ｂｕｔｌｅｒによる米国特許第４９１１３０２号は、上包装閉止部の下面と、下にあるパッケージ構造の外表面層との間に配置された不正開封明示パターンを開示している。参照により本明細書に組み込まれている、国際出願ＰＣＴ／ＥＰ２０１３／００３２７４号明細書は、容器の前部に位置決めされる取り外し可能な部分を有する容器を開示している。参照により本明細書に組み込まれている、米国特許出願公開第２０１４／０３０５８２１号明細書は、シガレットパッケージ用のブランクに形成された弱化線、および外側フレームと内側フレームの間に配置された開封要素とを開示している。
【先行技術文献】
【特許文献】
【００１０】
【特許文献１】米国特許第３８７４５８１号明細書
【特許文献２】米国特許第３９４４０６６号明細書
【特許文献３】米国特許第４８５２７３４号明細書
【特許文献４】欧州特許第０３９２７３７号明細書
【特許文献５】米国特許出願公開第２００８／０２３０４１０号明細書
【特許文献６】米国特許出願公開第２０１１／００４２２４９号明細書
【特許文献７】米国特許出願公開第２０１０／０２４８９２６号明細書
【特許文献８】米国特許第５６８２９８６号明細書
【特許文献９】米国特許第３６９５４２２号明細書
【特許文献１０】米国特許第４７１７０１７号明細書
【特許文献１１】米国特許第４８３６３７８号明細書
【特許文献１２】米国特許第５１９２２６２号明細書
【特許文献１３】米国特許第５５９５８０３号明細書
【特許文献１４】米国特許第６３６３６９１号明細書
【特許文献１５】米国特許出願公開第２００４／０２６１３６１号明細書
【特許文献１６】米国特許第７１１８７９２号明細書
【特許文献１７】米国特許出願公開第２００７／０１３０８１１号明細書
【特許文献１８】米国特許第５３３３７２９号明細書
【特許文献１９】米国特許第５２４８０３１号明細書
【特許文献２０】米国特許第５１３９１４０号明細書
【発明の概要】
【発明が解決しようとする課題】
【００１１】
しかしながら、様々な従来の不正開封明示シガレットパッケージの設計には、いくつかの潜在的な問題がある。いくつかの不正開封明示シガレットパッケージの設計は、材料のくず（例えば、透明な外装、周囲の開封テープ、様々な開封帯の設計など）を増やしてしまう可能性がある。他のシガレットパッケージの設計は、高価な工具および／またはより高い精度（例えば、板紙ブランクの一部を穿孔するために使用されるプロセス）を必要とする製造プロセスによって形成される不正開封明示機能を含む場合がある。
【課題を解決するための手段】
【００１２】
様々な実施形態は、基部を画定する下部本体部分と、蓋を画定する上部本体部分と、開封帯とを有する箱を提供する。基部は、基部底壁と、第１の基部側タブが結合された基部前壁と、第２の基部側タブが結合された基部後壁とを含む。蓋は、蓋上壁と、第１の蓋側タブが結合された蓋前壁と、第２の蓋側タブが結合された蓋後壁とを含む。開封は、基部の前壁および蓋の前壁に接着結合される。
【００１３】
第２の態様によれば、シガレットを収容するパッケージは、基部を画定する下部本体部分と、蓋を画定する上部本体部分と、開封帯（ｔｅａｒ  ｓｔｒｉｐ）とを有する箱を含んでよい。基部は、基部底壁と、基部前壁と、基部後壁とを含む。蓋は、蓋上壁と、蓋前壁と、蓋後壁とを含む。開封帯は、蓋前壁および基部前壁に接着結合され、蓋の外表面および下部本体部分は、使用者が触ることができるように露出される。
【００１４】
第３の態様によれば、シガレットを収容するパッケージは、基部を画定する下部本体部分と、蓋を画定する上部本体部分と、開封帯とを有する箱を含んでよい。基部は、基部底壁と、基部前壁と、基部後壁とを含む。蓋は、蓋上壁と、蓋前壁と、蓋後壁とを含む。開封帯は、基部前壁および蓋前壁に接着結合され、基部後壁および蓋後壁は、粘着ストリップを介して結合されてよい
【００１５】
本願の例示的な実施形態を、添付の概略図面を参照しながら、単なる例として以下に説明する。
【図面の簡単な説明】
【００１６】
【図１】例示的な実施形態による、補強部材を備えた開封帯を有するシガレットパッケージの斜視図であり、パッケージは閉位置で示されている。
【図２】図１に示されている開封帯の詳細図である。
【図３】図１に示されているシガレットパッケージに使用されるブランクの平面図である。
【図４】別の例示的な実施形態による、ミシン目付き前蓋を有するシガレットパッケージの斜視図であり、パッケージは閉位置で示されている。
【図５】図４に示されているシガレットパッケージに使用されるブランクの平面図である。
【図６】さらに別の例示的な実施形態による、ミシン目付き前蓋を有するシガレットパッケージの別の斜視図であり、パッケージは閉位置で示されている。
【図７】図６に示されているシガレットパッケージに使用されるブランクの平面図である。
【図８】左右両側に位置決めされた一対の引き剥がし部分を有するシガレットパッケージの斜視図である。
【図９】図８に示されているシガレットパッケージに使用されるブランクの平面図である。
【図１０】例示的な実施形態による、開封帯を有するシガレットパッケージ用のブランクの底面図である。
【図１１】開封帯を有するシガレットパッケージ用の別のブランクの底面図である。
【図１２】開封帯を有するシガレットパッケージ用のさらに別のブランクの底面図である。
【図１３】開封帯を有するシガレットパッケージ用のさらに別のブランクの底面図である。
【発明を実施するための形態】
【００１７】
本開示について、本開示の全てではないがいくつかの態様が示されている添付図面を参照しながら、以下にさらに十分に説明する。実際には、本開示は、多くの異なる形態で具体化されてよく、本明細書に記載の態様に限定されるものと解釈されるべきではない。むしろ、これらの態様は、本開示が十分かつ完全であり、本開示の範囲を当業者に十分に伝え、適用される法的要件を満たすように提供される。同様の番号は、全体を通して同様の要素を指す。本明細書および請求項で使用されるように、単数形「ａ」、「ａｎ」および「ｔｈｅ」は、文脈上他に明確に指示されない限り、複数の指示対象を含む。
【００１８】
図１および図３は、シガレットを収容する例示的なパッケージ１０を示す。パッケージ１０は、外側保護ケース１１（例えば、箱、容器など）と、外側ケース１１内に嵌合するように構成された内側ケース（図示せず）とを備える。一般に、内側ケースは、内部にタバコ製品（例えば、シガレット、シガリロ、シガーなど）を収容するのに使用される収納容積を画定する。図１に示されている外側ケース１１は、図２に示されているブランクのような板紙ブランクから形成されてよい。他の例示的な実施形態によれば、外側ケース１１は、ポリマー材料のような任意の適切な材料から形成されてよい。当業者であれば、本明細書で開示される例示的なパッケージは、完全にリサイクル可能な材料を使用して製造され得ることを理解するであろう。このように、外側ポリマーフィルムが設けられた他のパッケージと比較して、本明細書に開示されるパッケージは、有利には、１００％リサイクル可能となり得る。
【００１９】
図１を参照すると、外側ケース１１は、蓋１２を画定する上部本体部分と、基部１４を画定する下部容器本体部分とを備える。基部１４と蓋１２とは、互いに選択的に係合し、互いから外れるように協働する形で構成することができる。例えば、蓋１２は、基部１４との「スナップ嵌め」を有するように構成することができる。
【００２０】
ここで図３を参照すると、蓋１２および基部１４は、ヒンジ部１６（例えば、ヒンジ、リビングヒンジなど）を介して外側ケース１１の後側に結合されている形で示されている。より具体的には、ヒンジ部１６は、基部１４の後壁（例えば、基部後壁１８）と蓋１２の後壁（例えば、蓋後壁２０）との間に画定される。外側ケース１１がブランクから形成されるので、基部後壁１８および蓋後壁２０は、（例えば、糊または両面テープのような粘着物で形成された）接着接合部を介して結合されてよい。したがって、蓋１２は、ヒンジ部１６によって全体的に画定される軸の周りに基部１４に対して後方に枢動するように構成されてよい。このことにより、外側ケース１１を開閉することができる。別の例示的な実施形態によれば、シガレットを収容するパッケージのヒンジ部は、下部本体部分の後壁と蓋の蓋上壁との間に画定されてよい。シガレットを収容するパッケージは、他の適切な方法で構成されてもよい。
【００２１】
さらに図３を参照すると、蓋１２は、蓋上壁２２と、蓋後壁２０と、蓋前壁２４とを含む。さらに、第１の蓋側タブ２６（例えば、側壁部分）が蓋前壁２４の左右両側に設けられ、第２の蓋側タブ２８（例えば、側壁部分）が蓋後壁２０の左右両側に設けられる。蓋１２が折り畳まれた状態にあるときに、蓋後壁２０の第２の蓋側タブ２８は、蓋上壁２２の内表面または底表面に結合されてよく、蓋前壁２４の第１の蓋側タブ２６は、第２の蓋側タブ２８に結合されてよい。例えば、粘着物（例えば、糊、両面テープなど）を使用して、前述の壁を結合することができる。例示的な実施形態によれば、蓋後壁２０は、蓋前壁２４よりも短い。言い換えれば、蓋前壁２４は、蓋１２が閉じられたときに蓋後壁２０の下方に延びてよい。他の例示的な実施形態によれば、蓋１２を備える様々な壁は、任意の適切なサイズにしてよく、本明細書に開示されている相対的サイズは限定的なものではない。
【００２２】
さらに図３に示されているように、基部１４は、基部前壁３０と、基部底壁３２と、基部後壁１８とを含む。さらに、第１の基部側タブ３４（例えば、側壁部分）が基部前壁３０の左右両側に設けられ、第２の基部側タブ３６（例えば、側壁部分）が基部後壁１８の左右両側に設けられる。外側ケース１１が折り畳まれた状態にあるときに、基部後壁１８の第２の基部側タブ３６は、基部底壁３２の内表面または上部表面に結合されてよく、基部前壁３０の第１の基部側タブ３４は、第２の基部側タブ３６に結合されてよい。例示的な実施形態によれば、基部後壁１８は、基部前壁３０よりも高い。言い換えれば、基部後壁１８は、外側ケース１１が折り畳まれた状態にあるときに基部前壁３０より上方に延びてよい。他の例示的な実施形態によれば、基部１４を備える様々な壁は、任意の適切なサイズにしてよく、本明細書に開示されている相対的サイズは限定的なものではない。
【００２３】
外側ケース１１の蓋１２が閉じた状態にあるとき、第２の蓋側タブ２８の内表面および蓋前壁２４は、内側ケースの外表面と係合することができる。さらに、第１の蓋側タブ２６、第２の蓋側タブ２８、および蓋前壁２４の底部は、第１の基部側タブ３４、第２の基部側タブ３６、および基部前壁３０の上部に係合することができる。
【００２４】
例示的な実施形態によれば、蓋前壁２４と基部前壁３０とは、開封帯３８を介して結合される。開封帯３８は、図１０〜図１３に示されているように、補強部材３７が外側ケース１１に結合され、２つの弱化部分３９間に位置決めされる仕方で構成されてよい。開封帯３８はさらに、図１〜２に示すように、中間の開封帯部分４１が外側ケース１１に結合された２つの接着部分間に位置決めされる形で構成されてもよい。補強部材３７および中間開封帯部分４１は、任意の適切な材料（例えば、余分の紙材料、ポリプロピレン、ポリエチレン、別のリサイクル可能材料など）から作製されてよく、本明細書に記載されている材料は限定的なものではない。図１〜図２および図１０〜図１１に示すように、開封帯３８は、蓋前壁２４および基部前壁３０の左側から蓋前壁２４および基部前壁３０の右側に延びてよい。
【００２５】
外側ケース１１が折り畳まれた形状（開封帯３８が定位置にあり、蓋後壁２０と基部後壁１８が接着接合部を介して結合されている）になると、外側ケース１１は、一般に、平行六面体（例えば、長方形の箱）の形状になり得る。接着接合部は蓋後壁２０と基部後壁１８とを結合する部分として示されているが、外側ケース用のブランクは、別の一対の壁を結合するのに接着接合部が使用されるような他の仕方で構成されてもよい。また、他の実施形態によれば、外側ケースの様々な壁は、留め具（例えば、ステープルなど）を使用して、または任意の他の適切な仕方で結合されてよい。
【００２６】
例示的な実施形態によれば、外側ケース１１が折り畳まれた状態にあるときに、開封帯３８は不正開封明示機能を果たすことができる。「不正開封明示」とは、製品の不正アクセスまたは事前アクセスの有無を示すのに使用される要素または機能を指す。したがって、開封帯３８は、シガレットを収容するパッケージ１０の不正アクセスの有無を示すのに使用することができる。例えば、パッケージ１０は、一般に、開封帯３８が蓋前壁２４および基部前壁３０に結合された状態で販売されてよい。開封帯３８が所定の位置にあり、無傷であれば、これは、パッケージ１０が事前に不正アクセスを受けていないことを使用者に示している。一方、開封帯３８が所定位置にないか、または無傷でないパッケージ１０を使用者が購入した場合、これは、パッケージ１０が不正開封された可能性があり、収容されているシガレットの完全な状態が損なわれている可能性があることを使用者に示している。さらに、外側ケース１１の一対の壁（例えば、蓋後壁２０と基部後壁１８）を結合するために使用される接着接合部は、不正開封明示機能を果たすように構成されてよい。したがって、万一、人が接着接合部を介して結合されている２つの壁を分離または切り離した場合、これは、パッケージ１０が不正開封された可能性があることを使用者に示している。
【００２７】
開封帯３８は、様々な例示的な実施形態に従って、様々な方法でパッケージ１０から除去されるように構成されてよい。例えば、開封帯３８は、図１〜図２に示されており、開封帯部分４１と、上部接着部分３９と、下部接着部分４３とを含み、上部接着部分３９と下部接着部分４３から引き剥がされるように構成される。強部材３７が上部弱化部分と下部弱化部分（例えば、ミシン目線）との間に位置決めされる図１０〜図１３に示されている開封帯３８は、上部弱化部分と下部弱化部分との間にある材料を除去するために、外側ケース１１から引き離されるように構成される。
【００２８】
本明細書に開示されている開封帯３８は、別個の透明な外側包装またはプルタブのような、代替の不正開封明示機能を設ける必要性をなくすことができる。有利には、開封帯３８は、シガレット容器を密封するために一般的に使用される透明な外側包装と比較して、比較的少量のリサイクル可能な材料から成る。開封帯３８は、任意の適切な厚さおよび任意の適切な幅を有するものとして形成されてよい。したがって、不正開封明示機能として開封帯３８を有する容器は、他の不正開封明示手段と比較して、廃棄物やごみをより少なくすることができる。
【００２９】
図２および図１０〜図１３に示されている開封帯３８は、外側ケース１１用の個々のブランクに使用される板紙のような媒体上に接着されてよい。開封帯３８はさらに、外側ケース１１用の個々のブランクにまだ形成されていない板紙に連続的に接着されてもよい。さらに、本明細書に開示されている開封帯３８は、外側ケース１１の内表面に、または外側ケース１１の外表面上に結合されてよい。
【００３０】
図１〜図２に示されている実施形態によれば、開封帯３８は、開封帯部分４１と、上部接着部分３９と、下部接着部分４３とを備える。開封帯３８は、外側ケース１１に結合される前に外側ケース１１の外表面に結合されるので、外側ケース１１が折り畳まれた状態にあるときに、蓋前壁２４の底縁部および基部前壁３０の上縁部を画定するブランクの一部に、直線状の切れ目（例えば、スリット）が形成されてよい。その後、開封帯３８は、外側ケース１１の外表面に結合され、開封帯３８が直線状切れ目を覆う。したがって、開封帯３８が媒体から除去されると、蓋前壁２４および基部前壁３０は分離され、蓋１２はヒンジ部１６の周りに自由に枢動することになる。
【００３１】
上述した実施形態とは対照的に、図２に示されている開封帯３８と同様の開封帯（図示せず）が外側ケース１１の内表面に結合されてよい。直ぐ上で説明した実施形態と同様に、外側ケース１１が折り畳まれた状態にあるときに、蓋前壁２４の底縁部および基部前壁３０の上縁部を画定するブランクの一部に、直線状切れ目（例えば、スリット）または弱化部分（例えば、一連のミシン目）が形成されてよい。開封帯３８は、直線状切れ目に関係する外側ケース１１の内表面に結合されてよい。開封帯部分の末端は、外側ケース１１の外側に延びてよい。開封帯部分の末端は、蓋前壁２４と基部前壁３０との間の直線状切れ目を裂くために引っ張られてよい。
【００３２】
図２をさらに参照すると、例示的な実施形態によれば、上部接着部分３９は、開封帯３８の中間開封帯部分４１の上に設けられてよく、下部接着部分４３は、中間開封帯部分４１の下に設けられてよい。上部接着部分３９および下部接着部分４３は、蓋前壁２４および基部前壁３０の両方に接着結合されてよい。中間開封帯部分４１は、粘着物を含んでもよいし、含まなくてもよい。さらに、開封帯３８の上部接着部分３９および下部接着部分４３は、蓋前壁２４および基部前壁３０の内表面（例えば、後向きの面）に結合されてもよい。別の例示的な実施形態によれば、開封帯３８の上部接着部分３９および下部接着部分４３は、蓋前壁２４および基部前壁３０の正面を向いた外表面に結合されてよい。
【００３３】
例示的な実施形態によれば、開封帯３８は、蓋前壁２４および基部前壁３０から引き離されるように構成された第１の端部（図示せず、長さがおよそ３〜５ｍｍ）を含んでよい。例えば、開封帯３８は、上部接着部分３９と下部接着部分４３との間に挟まれた中間引き裂き部分４１を含んでよく、中間引き裂き部分は、使用者によってつままれて、外側ケース１１から引き剥がされるように構成された第１の端部を含んでよい。１つの例示的な実施形態によれば、開封帯３８の中間引き裂き部分の第１の端部は、第１の蓋側タブ２６および第１の基部側タブ３４を越えて外側に（蓋前壁２４の下端および基部前壁３０の上端に近接して）に延びてよい、または垂れ下がってよい。別の例示的な実施形態によれば、開封帯３８の中間引き裂き部分の第１の端部は、蓋前壁２４と基部前壁３０と第１の基部側タブ３４と第２の基部側タブ３６との間に画定された角部の近位に延びてよい。この最後の実施形態によれば、蓋前壁２４と基部前壁３０との間の比較的小さな部分（およそ３〜５ｍｍ）は、媒体の材料を介して結合されてもよいし、結合されない状態のままでもよい。例えば、直線状切れ目は、（蓋前壁２４と基部前壁３０と第１の基部側タブ３４と第２の基部側タブ３６との間に画定された角部に近接した）一端のおよそ３〜５ｍｍの短さにあたるブランクに形成されてよい。
【００３４】
開封帯３８の中間開封帯部分４１は、蓋前壁２４および基部前壁３０の左右両側近傍の第１の自由垂下端部から、第１の端部の反対側の第２の端部まで横方向に延びてよい。開封帯３８の中間開封帯部分４１は、引っ張られたときに開封帯３８の周囲部分から引き剥がされるように構成されてよい。さらに、中間開封帯部分４１は、外側ケース１１から引き裂かれて除去されると除去されたことを視覚的に示すように構成されてよい。例えば、開封帯３８は、中間開封帯部分４１が除去されると、「ボイド（ｖｏｉｄ）」という単語が外側ケース１１または開封帯３８のいずれかに現れるように構成されてよい。さらに、開封帯３８は、中間開封帯部分４１と開封帯３８の周囲部分との間の裂き口を識別することができるように構成されてよい。不正開封明示機能を果たす開封帯を提供するためのいくつかの方法が本明細書で開示されているが、開封帯は、パッケージが不正開封されたかまたは開封されたことを使用者に示すために他の方法で構成されてもよいことは理解されたい。
【００３５】
別の例示的な実施形態によれば、およそ３〜５ｍｍの長さの開封帯３８の自由に垂れ下がる第１の端部が開封帯の一端に結合されてよい。上部接着部分３９と下部接着部分４３との間に挟まれ得る中間開封帯部分４１はさらに、開封帯３８の第１の端部から前壁２４、３０の反対側まで延びてよい。さらに、中間開封帯部分４１は、開封帯３８の第１の端部が蓋前壁２４および基部前壁３０から引き離されるにつれて、上部接着部分３９および下部接着部分４３ならびに蓋前壁２４および基部前壁３０から引き剥がされるように構成されてもよい。開封帯３８の中間開封帯部分４１が蓋前壁２４および基部前壁３０から引っ張られると、蓋１２はヒンジ部１６の周りに枢動されて、外側ケース１１を開いた状態にすることができる。また、中間開封帯部分４１は、蓋前壁２４および基部前壁３０から除去されると、適切に廃棄されてよい。
【００３６】
図１０〜図１３は、補強部材３７を含む開封帯３８の別の例示的な実施形態を示す。これらの各実施形態における補強部材３７は、基部前壁３０と蓋前壁２４との境界に対応する外側ケース１１の内表面の一部に結合にされてよい。蓋前壁２４内の補強部材３７の上には、様々な方法で構成されてよい弱化線が位置決めされてよく、基部前壁３０内の補強部材３７の下には、別の弱化線が位置決めされてよい。したがって、材料部分は、基部前壁３０と蓋前壁２４との間の弱化線の間に画定される。開封帯３８は、補強部材３７と、弱化線間の材料部分とを含んでよい。
【００３７】
開封帯３８（例えば、基部前壁３０と蓋前壁２４の両方の弱化部分と補強部材３７との間の材料を含む）を除去しやすくするために、補強部材３７は、基部前壁３０の弱化部分と蓋前壁２４の弱化部分との間に画定される材料の幅より狭くしてよい。例えば、基部前壁３０および蓋前壁２４のそれぞれの弱化部分は、補強部材３７の上下１〜２ｍｍの位置に設けられてよい。補強部材３７自体の高さは、任意の適切な高さとしてよい。例えば、例示的な実施形態によれば、補強部材３７の高さは、およそ１〜３ｍｍとしてよい。別の実施形態によれば、補強部材３７の高さは、およそ３〜８ｍｍとしてよい。
【００３８】
図１０〜１１を参照すると、補強部材３７が外側ケース１１の正面を横切って延び、外側ケース１１の両側に延びないように、開封帯３８が構成されてよいことが示されている。図１２〜図１３を参照すると、補強部材３７および弱化線が外側ケース１１の正面を横切って、かつ外側ケース１１の左右両側に沿って延びることができるように、開封帯３８が構成されてよいことが示されている。
【００３９】
本明細書に記載の開封帯３８の実施形態によれば、補強部材３７（図１〜図２に示されている）または開封帯部分４１（図１０〜１３に示されている）を除去することによって、蓋前壁２４と基部前壁３０とを分離するために、外側ケース１１の媒体の材料（すなわち、ミシン目線（単数または複数）または蓋前壁２４と基部前壁３０との間の弱化線（単数または複数）を含む材料）をさらに除去することができる。補強部材３７または開封帯部分４１が媒体の材料を除去するために、補強部材３７および／または開封帯部分４１に使用される材料は、適切な引裂き抵抗、開封帯３８が外側ケース１１から引っ張られたときに受ける応力を克服するための十分な引っ張り強度、低い伸び、および高い耐屈曲亀裂性を有するように構成されてよい。補強部材３７および／または開封帯部分４１は、接着剤（例えば、感圧接着剤）を介して、または任意の他の適切な方法で、媒体に結合または接着されてよい。例えば、本明細書で開示される開封帯３８は、バルクで（例えば、ロール形態で）製造され、その後、ロール状にされ、または媒体上に長さ方向に配置されてよい。
【００４０】
図４〜図５は、シガレットパッケージ１１０の外側ケース１１１の別の実施形態を示す。外側ケース１１１は、蓋１１２と、基部１１４とを含む。蓋１１２は、蓋上壁１２２と、蓋後壁１２０と、蓋前壁１２４とを含む。蓋前壁１２４は、これに結合された第１の蓋側タブ１２６を含み、蓋後壁１２０は、これに結合された第２の蓋側タブ１２８を含む。下部本体部分は、基部前壁１３０、基部底壁１３２、および基部後壁１１８を含む基部１１４を画定する。基部前壁１３０は、これに結合された第１の基部側タブ１３４を含み、基部後壁１１８は、これに結合された第２の基部側タブ１３６を含む。基部後壁１１８と蓋後壁１２０との間には、ヒンジ部１１６が形成される。蓋１１２は、ヒンジ部１１６の周りに、開位置と閉位置との間で枢動し得る。
【００４１】
シガレットパッケージ１１０の外側ケース１１１の蓋１１２は、ミシン目線４２を介して基部１１４に結合されてよい。外側ケース１１１が折り畳まれた状態にあるとき、第２の基部側タブ１２６の後縁の高さは、蓋後壁１２０の高さにほぼ一致し、第１の蓋側タブ１２６の前縁の高さは、蓋前壁１２４の高さにほぼ一致し得る。同様に、第１の基部側タブ１３４の後縁の高さは、基部後壁１１８の高さにほぼ一致し、第１の基部側タブ１３４の前縁の高さは、基部前壁１３０の高さにほぼ一致し得る。図示されているように、基部前壁１３０は、基部後壁１１８よりも短くしてよく、蓋後壁１２０は、蓋前壁１２４よりも短くしてよい。したがって、外側ケース１１１が折り畳まれた状態にあるとき、ミシン目線４２は、基部後壁１１８および蓋後壁１２０から蓋前壁１２４および基部前壁１３０まで下方に延びてよい。
【００４２】
例示的な実施形態によれば、ミシン目線４２は、３つのほぼ直線状の部分（例えば、２つの下方に傾斜した側部間に設けられた水平な前部）を有するように形成される。ミシン目線４２は、任意の適切な方法で形成されてよい。例えば、ミシン目線４２は、外側ケース１１１用のブランクに、蓋前壁１２４および基部前壁１３０、さらに第１の蓋側タブ１２６および第１の基部側タブ１３４に沿って直線状に配置される一連の穴（例えば、ミシン目）を開けることによって形成されてよい。ミシン目線４２を含む穴は、任意の適切な寸法を有してよく、連続穴は、任意の適切な距離だけ離間されてよい。
【００４３】
図４〜図５に示されているミシン目線４２は、不正開封明示機能を果たすように構成されてよい。すなわち、ミシン目線４２は、シガレットを収容するパッケージ１１０の不正アクセスの有無を示すのに使用されてよい。例えば、パッケージ１１０は、一般に、蓋前壁１２４、基部前壁１３０、第１の蓋側タブ１２６、および第１の基部側タブ１３４がミシン目線４２を介して結合された状態で販売されてよい。ミシン目線４２が無傷である場合、これは、パッケージ１１０が事前に不正アクセスされていないことを使用者に示している。一方、ミシン目線が引き裂かれた、または破れて開いているパッケージ１１０を使用者が購入した場合、これは、パッケージ１１０が不正開封された可能性があり、収容されているシガレットの完全な状態が損なわれている可能性があることを使用者に示している。さらに、外側ケース１１１の一対の壁（例えば、蓋後壁１２０および基部後壁１１８）を結合するのに使用される接着接合部は、不正開封明示機能を果たすように構成されてよい。したがって、万一、人が接着接合部を介して結合されている２つの壁を分離または切り離した場合、これは、パッケージ１１０が不正開封された可能性があることを使用者に示している。
【００４４】
図６〜７は、シガレットパッケージ２１０の外側ケース２１１のさらに別の実施形態を示す。外側ケースは、蓋２１２を画定する上部本体部分と、基部２１４を画定する下部本体部分とを含む。蓋２１２は、蓋上壁２２２と、蓋後壁２２０と、蓋前壁２２４とを含む。蓋前壁２２４は、これに結合された第１の蓋側タブ２２６（例えば、側壁部分）を含み、蓋後壁２２０は、これに結合された第２の蓋側タブ２２８（例えば、側壁部分）を含む。基部２１４は、基部前壁２３０と、基部底壁２３２と、基部後壁２１８とを含む。基部前壁２３０は、これに結合された第１の基部側タブ２３４（例えば、側壁部分）を含み、基部後壁２１８は、これに結合された第２の基部側タブ２３６（例えば、側壁部分）を含む。基部後壁２１８と蓋後壁２２０との間には、ヒンジ部２１６が形成される。蓋２１２は、ヒンジ部２１６の周りに、開位置と閉位置との間で枢動することができる。
【００４５】
例示的な実施形態によれば、シガレットパッケージ２１０の外側ケース２１１の蓋２１２は、ミシン目線４４を介して基部２１４に結合されてよい。図４〜図５に示されているミシン目線４２とは異なり、ミシン目線４４は、蓋前壁２２４と基部前壁２３０とを結合するだけである。第１の蓋側タブ２２６と第１の基部側タブ２３４は、それらの間に切れ目を形成することによって分離される。この違いを除いて、図４〜図５に示されている例示的な実施形態に関する開示内容は、図６〜図７に示されている例示的な実施形態に同様に適用されるものとする。
【００４６】
図８〜図９は、シガレットパッケージ３１０の外側ケース３１１のさらに別の実施形態を示す。
【００４７】
外側ケース３１１は、蓋３１２を画定する上部本体部分と、基部３１４を画定する下部本体部分とを含む。蓋３１２は、蓋上壁３２２と、蓋後壁３２０と、蓋前壁３２４とを含む。蓋前壁３２４は、これに結合された第１の蓋側タブ３２６（例えば、側壁部分）を含み、蓋後壁３２０は、これに結合された第２の蓋側タブ３２８（例えば側壁部分）を含む。基部３１４は、基部前壁３３０と、基部底壁３３２と、基部後壁３１８とを含む。基部前壁３３０は、これに結合された第１の基部側タブ３３４（例えば、側壁部分）を含み、基部後壁３１８は、これに結合された第２の基部側タブ３３６（例えば側壁部分）を含む。基部後壁３１８と蓋後壁３２０との間には、ヒンジ部３１６が形成される。蓋３１２は、ヒンジ部３１６の周りに、開位置と閉位置との間で枢動することができる。
【００４８】
例示的な実施形態によれば、シガレットパッケージ３１０の外側ケース３１１の蓋３１２は、左側および右側に位置決めされる一対の引き裂き部分４６（例えば、引裂帯、ミシン目付き開封帯など）を介して基部３１４に結合されてよい。例えば、第１の蓋側タブ３２６は、引き裂き部分４６を介して第１の基部側タブ３３４に結合されてよい。この例示的な実施形態によれば、蓋前壁３２４と基部前壁３３０とは、それらの間に切り目を形成することによって分離されてよい。外側ケース１１、１１１、２１１と同様に、蓋前壁３２４は蓋後壁３２０よりも高くてもよい。したがって、外側ケース３１１が折り畳まれた状態にあるとき、引き裂き部分４６は、後方から前方に向かって下方に延び得る。
【００４９】
図８〜図９に示すように、引き裂き部分４６は、２つのほぼ平行な破線を切り込むことによって形成され、破線の各々のダッシュは、所定角度で内側に延びる部分を含む。タブとして構成される引き裂き部分４６の第１の端部は、第１の蓋側タブ３２６および第１の基部側タブ３３４の後縁内に２つの平行な切れ目を形成することによって形成されてよい。第１の蓋側タブ３２６および第１の基部側タブ３３４の後縁内の切れ目は、プルタブを形成する。したがって、使用者は、プルタブをつまみ、第１の蓋側タブ３２６および第１の基部側タブ３３４からそれぞれの引き裂き部分４６を引っ張って蓋３１２を開けることができる。別の例示的な実施形態によれば、プルタブは、第１の蓋側タブ３２６および第１の基部側タブ３３４の前縁内に２つの平行な切り目を入れることによって、第１の蓋側タブ３２６および第１の基部側タブ３３４の前縁に沿って形成されてよい。図８〜図９に示されている引き裂き部分４６は、内側に延びる部分を含む一連のダッシュとして形成されるが、別の例示的な実施形態によれば、引き裂き部分は、内側に延びる部分を含まない一対の平行な破線を切り込むことによって形成されてよい。さらに、引き裂き部分の平行な破線を含むダッシュは、他の例示的な実施形態によれば、任意の適切な長さを有してよく、連続ダッシュは、任意の適切な距離だけ離間されてよいことを理解されたい。
【００５０】
本明細書に記載されている引き裂き部分は、不正開封明示機能を果たすように構成される。すなわち、引き裂き部分４６は、シガレットを収容するパッケージ３１０の不正アクセスの有無を示すために使用されてよい。例えば、パッケージ３１０は、一般に、蓋前壁３２４、基部前壁３３０、第１の蓋側タブ３２６、および第１の基部側タブ３３４が引き裂き部分４６を介して結合された状態で販売されてよい。引き裂き部分４６が無傷である場合、これは、パッケージ３１０が事前に不正アクセスされていないことを使用者に示している。一方、引き裂き部分４６が引き裂かれた、または破れて開いているパッケージ３１０を使用者が購入した場合、これは、パッケージ３１０が不正開封された可能性があり、収容されているシガレットの完全な状態が損なわれている可能性があることを使用者に示している。さらに、外側ケース３１１の一対の壁（例えば、蓋後壁３２０および基部後壁３１８）を結合するのに使用される接着接合部は、不正開封明示機能を果たすように構成されてよい。したがって、万一、人が接着接合部を介して結合された２つの壁が分離または切り離した場合、これは、パッケージ３１０が不正開封された可能性があることを使用者に示している。
【００５１】
有利には、本明細書に記載されているパッケージ１０、１１０、２１０、３１０の不正開封明示機能部（例えば、開封帯３８、ミシン目線４２、ミシン目線４４、および引き裂き部分４６）は、外側ケース１１、１１１、２１１、３１１の外表面が露出したままである（例えば、覆われていない）ときに、無傷であることが可能である。すなわち、本明細書に記載されている不正開封明示機能部が定位置にあり無傷であるときに、外側ケース１１、１１１、２１１、３１１の外表面を使用者が触ることができる。例えば、パッケージ１０、１１０、２１０、３１０は、外側のポリマーフィルムが外側ケース１１、１１１、２１１、３１１の周りに巻き付けられずに、不正開封明示機能を果たし得る。その結果、パッケージ１０、１１０、２１０、３１０は、廃棄物を減らすことができる。さらに、パッケージ１０、１１０、２１０、３１０内に収容されているタバコ製品に、より容易にアクセスすることができる。
【００５２】
図１、図４、および図６を参照すると、基部前壁３０、１３０、２３０の上部に、指開口部４０、１４０、２４０（例えば、指穴）が設けられてよい。図８には示されていないが、外側ケース３１１の基部前壁３３０は、同様の指開口部を含むことができることを理解されたい。指開口部４０、１４０、２４０は、半円形の形状にしてよく、半円形の平坦部分は、基部前壁３０、１３０、２３０の上端に近接している。指開口部は、蓋１２、１１２、２１２を指で開きやすくするように構成されてよい。例えば、指穴は、指を入れるのに十分な大きさであり、指を使って蓋を持ち上げることができる。
【００５３】
本明細書で使用する用語「およそ」、「約」、「実質的に」、「本質的に」および同様の用語は、本開示の主題が関係する当業者に一般的に認められた使用法と調和した広範な意味を有するものとする。本開示をレビューする当業者であれば、これらの用語は、記載および請求されている特定の特徴の範囲を示されている正確な数値範囲に限定することなく、これらの特徴を説明することができることを意図していることを理解するはずである。したがって、これらの用語は、記載および請求されている主題の非現実的または重要でない修正または変更が、添付の請求項に記載されている開示の範囲内にあると見なされることを示すと解釈されるべきである。
【００５４】
様々な実施形態を説明するために本明細書で使用される「例示的」という用語は、そのような実施形態が可能な実施形態の可能な例、表現、および／または例示であることを示すことを意図している（さらに、このような用語は、このような実施形態が必ずしも特別な例または最良の例であることを含意することを意図していない）ことに留意されたい。
【００５５】
本明細書で使用される「結合される」、「接続される」などの用語は、２つの部材を互いに直接的または間接的に接合することを意味する。このような接合は、固定された（例えば、永久的）接合、または可動な（例えば、取り外し可能または解放可能）接合としてよい。このような接合は、２つの部材もしくは２つの部材と任意の追加の中間部材とが互いに一体構造体として一体形成されることによって、または２つの部材もしくは２つの部材と任意の追加の中間部材とが互いに取り付けられることによって達成され得る。
【００５６】
本明細書における要素の位置に関する表現（例えば、「上」、「下」、「〜の上」、「〜の下」など）は、単に図面内の様々な要素の向きを説明するために使用されている。様々な要素の向きは、他の例示的な実施形態に応じて異なる場合があり、そのような変形形態は、本開示に包含されるものとすることに留意されたい。
【００５７】
様々な例示的な実施形態で示されているような外側ケース１１の構成および配置は、例示に過ぎないことに留意することが重要である。いくつかの実施形態のみが本開示で詳細に説明されているが、本開示をレビューする当業者は、本明細書に記載されている主題の新規な教示および利点から著しく逸脱することなく、多くの修正（例えば、様々な要素のサイズ、寸法、構造、形状、および面積、パラメータ値、取り付け方法、材料の使用、色、向き、製造プロセスなどの変更）が可能であることを容易に理解するであろう。例えば、一体形成された形で示されている要素は、複数の部品または要素から構成されてよく、要素の位置が逆であっても、あるいは異なっていてもよく、個別の要素または位置の性質または数が改変または変更されてもよい。任意のプロセスまたは方法ステップの順序またはシーケンスは、代替の実施形態に応じて変更または再順序付けされてもよい。本開示の範囲から逸脱することなく、様々な例示的な実施形態の設計、動作条件、および配置において、他の置換、修正、変更、および省略を行ってもよい。
【図１】
2018508423.tif 000003
【図２】
2018508423.tif 000004
【図３】
2018508423.tif 000005
【図４】
2018508423.tif 000006
【図５】
2018508423.tif 000007
【図６】
2018508423.tif 000008
【図７】
2018508423.tif 000009
【図８】
2018508423.tif 000010
【図９】
2018508423.tif 000011
【図１０】
2018508423.tif 000012
【図１１】
2018508423.tif 000013
【図１２】
2018508423.tif 000014
【図１３】
2018508423.tif 000015
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
複数のシガレットを収容するように構成されたパッケージ用のブランクであって、
基部底壁、
第１の基部側タブが結合された基部前壁、および
第２の基部側タブが結合された基部後壁
を含む基部を画定する下部本体部分と、
蓋上壁、
第１の蓋側タブが結合された蓋前壁、および
第２の蓋側タブが結合された蓋後壁
を含む蓋を画定する上部本体部分と、
基部前壁および蓋前壁に接着結合された開封帯と、
を備える、ブランク。
【請求項２】
パッケージが、全体がリサイクル可能な材料で作られる、請求項１に記載のブランク。
【請求項３】
ブランクが、折り畳まれて平行六面体を形成し、基部後壁と蓋後壁とが、ブランクを折り畳まれた状態で固定するように接着結合される、請求項１または２に記載のブランク。
【請求項４】
基部後壁と蓋後壁との間に形成されたヒンジ部をさらに備え、
基部前壁および蓋前壁から開封帯を除去することにより、ヒンジ部の周りに蓋を基部に対して枢動させることができる、請求項３に記載のブランク。
【請求項５】
パッケージが折り畳まれた状態にあり、蓋が開封帯を介して基部に結合されているときに、開封帯の少なくとも一部がパッケージの内部に位置決めされる、請求項３または４に記載のブランク。
【請求項６】
開封帯の端部が、パッケージ外部の外側に延び、開封帯の端部を引っ張ってパッケージから開封帯を除去することができる、請求項５に記載のブランク。
【請求項７】
ブランクが折り畳まれた状態にあるとき、平行六面体の外表面が、使用者が触ることができるように露出される、請求項３から６のいずれか１項に記載のブランク。
【請求項８】
開封帯が、中間開封帯部分と、上部接着部分と、下部接着部分とを含み、
上部接着部分が、蓋前壁に結合され、下部接着部分が、基部前壁に結合される、請求項１から７のいずれか１項に記載のブランク。
【請求項９】
シガレットを収容するように構成されたパッケージであって、
基部底壁、
基部前壁、および
基部後壁を含む基部を画定する下部本体部分と、
蓋上壁、
蓋前壁、および
蓋後壁を備える蓋を画定する上部本体部分と、
蓋前壁および基部前壁に接着結合された開封帯と、
を備え、
蓋および下部本体部分の外表面が、使用者が触ることができるように露出されるパッケージ。
【請求項１０】
開封帯の第１の端部を引っ張ることによってパッケージから開封帯が除去された後、蓋がヒンジ部の周りに基部に対して枢動可能になる、請求項９に記載のパッケージ。
【請求項１１】
パッケージが、一般に、開封帯および接着接合部を介して平行六面体として固定され、
パッケージが平行六面体として形成されるときに、パッケージの少なくとも２つの壁が接着接合部を介して互いに結合され、
接着接合部が、不正開封明示機能を果たすように構成される、請求項９または１０に記載のパッケージ。
【請求項１２】
接着接合部を介して互いに結合されたパッケージの少なくとも２つの壁が、基部後壁および蓋後壁である、請求項１１に記載のパッケージ。
【請求項１３】
基部前壁内の開封帯の下に指開口部が設けられる、請求項１１または１２に記載のパッケージ。
【請求項１４】
パッケージが、全体がリサイクル可能な材料で作られる、請求項９から１３のいずれか１項に記載のパッケージ。
【請求項１５】
パッケージが平行六面体として固定されているときに、開封帯がパッケージの内部に位置決めされ、弱化線が、基部前壁と蓋前壁それぞれに形成され、開封帯は、パッケージから引っ張られたときに、基部前壁および蓋前壁の弱化線の間に設けられた材料を除去するように構成される、請求項１１から１４のいずれか一項に記載のパッケージ。
【請求項１６】
基部底壁、
基部前壁、および
基部後壁を含む基部を画定する下部本体部分と、
蓋上壁、
蓋前壁、および
蓋後壁を備える蓋を画定する上部本体部分と、
蓋前壁および基部前壁に接着結合された開封帯と、
を備えるシガレットを収容するように構成されたパッケージであって、
基部後壁および蓋後壁が、粘着ストリップを介して結合される、パッケージ。
【請求項１７】
基部後壁と蓋後壁との間の接合部が、ヒンジ部を画定する、請求項１６に記載のパッケージ。
【請求項１８】
蓋が開封帯を介して基部に結合され、蓋後壁と基部後壁とが粘着ストリップを介して結合されるときに、開封帯の少なくとも一部が、パッケージの内部に位置決めされる、請求項１６または１７に記載のパッケージ。
【請求項１９】
基部前壁内の開封帯の下に指穴が設けられる、請求項１６から１８のいずれか１項に記載のパッケージ。
【請求項２０】
パッケージが、全体がリサイクル可能な材料で作られる、請求項１６から１９のいずれか１項に記載のパッケージ。
【国際調査報告】
2018508423.tif 000016
2018508423.tif 000017
2018508423.tif 000018